(57)【要約】      （修正有）【課題】  建築物の建設後においても簡単に取り付けができ複雑な付帯設備を必要としない防火カーテン装置を提供する。【解決手段】防火カーテン本体を形状記憶材料で形成する。通常の温度では畳まれた形状を保持し、火災が発生して設置位置周囲の大気温度が予め定められた形状回復温度を上回ったとき予め記憶している防火カーテン形状に戻す。防火カーテン本体は、防火区域の天井部に取付具で取り付けられる。【効果】防火カーテン本体を開くための付帯設備の必要がなく、防火カーテン本体の取り付けも建築物の建設後においても容易に行える。【選択図】図１
2005095198.tif 000002
【特許請求の範囲】
【請求項１】
通常の温度では畳まれた形状を保持し火災が発生して設置位置周囲の大気温度が予め定められた形状回復温度を上回ったとき予め記憶している防火カーテン形状に戻る形状記憶材料で形成された防火カーテン本体と、前記防火カーテン本体を防火区域の天井部に取り付けるための取付具とを備えたことを特徴とする防火カーテン装置。
【請求項２】
前記防火カーテン本体の畳まれた形状は、ジャバラ状に折り畳む形状または巻き取り状に畳む形状であることを特徴とする請求項１記載の防火カーテン装置。
【請求項３】
前記防火カーテン本体の形状記憶材料は、形状記憶ポリマーであることを特徴とする請求項１または請求項２記載の防火カーテン装置。
【請求項４】
前記防火カーテン本体が予め記憶している防火カーテン本体の形状とほぼ同一形状で形成され、前記防火カーテン本体に重ねて畳まれる不燃性シートを設けたことを特徴とする請求項３記載の防火カーテン装置。
【請求項５】
前記防火カーテン本体の形状記憶材料である形状記憶ポリマーに不燃性材料を織り込みまたは含浸したことを特徴とする請求項３記載の防火カーテン装置。
【発明の詳細な説明】
【技術分野】
【０００１】
本発明は、建築物の開口部や大部屋等に防火区域や防煙区域を形成するために設けられる防火カーテン装置に関する。
【背景技術】
【０００２】
一般に、建築物の開口部や大部屋には、火災の発生に備えて防火区域や防煙区画が予め設定されており、火災が発生した場合には防火シャッターを閉じて類焼を防ぐようにしている。すなわち、火災が発生したときには防火シャッターを閉鎖して防火区域や防煙区画を形成する。通常、建築物の建設後において防火シャッターを設置するには、建築物の改装を伴うことが多く困難であるので、防火シャッターは建築物の建設時に設置される。
【０００３】
そこで、建築物の建設後においても容易に防火区域を形成できるようにしたものがある（例えば特許文献１参照）。特許文献１のものでは、不燃性布状シートによる防火カーテンを天井部にジャバラ状あるいは巻き取り状に設置し、火災を検出したときは防火カーテンを開いて防火シャッターの役目を果たすようにしている。そして、火災の検出を形状記憶合金で検知することが開示されている。
【特許文献１】特開平７−２４６２４９号公報
【発明の開示】
【発明が解決しようとする課題】
【０００４】
しかしながら、不燃性布状シートによる防火カーテン装置では、火災を検出するための各種検出器が必要となり、また、防火カーテンを開放するための開放装置などの付帯設備を要するので、価格が高くなると共に正しく作動することを確認するために設備の定期的な検定が必要となる。一方、防火シャッターの設置は、例えば、デパートなどの開放された大きな空間の防火には不向きであり、防火シャッターと併設して避難用の防火戸を設置しなければならない。
【０００５】
本発明の目的は、建築物の建設後においても簡単に取り付けができ複雑な付帯設備を必要としない防火カーテン装置を提供することである。
【課題を解決するための手段】
【０００６】
請求項１の発明に係わる防火カーテン装置は、通常の温度では畳まれた形状を保持し火災が発生して設置位置周囲の大気温度が予め定められた形状回復温度を上回ったとき予め記憶している防火カーテン形状に戻る形状記憶材料で形成された防火カーテン本体と、前記防火カーテン本体を防火区域の天井部に取り付けるための取付具とを備えたことを特徴とする。
【０００７】
請求項２の発明に係わる防火カーテン装置は、請求項１の発明において、前記防火カーテン本体の畳まれた形状は、ジャバラ状に折り畳む形状または巻き取り状に畳む形状であることを特徴とする。
【０００８】
請求項３の発明に係わる防火カーテン装置は、請求項１または請求項２の発明において、前記防火カーテン本体の形状記憶材料は、形状記憶ポリマーであることを特徴とする。
【０００９】
請求項４の発明に係わる防火カーテン装置は、請求項３の発明において、前記防火カーテン本体が予め記憶している防火カーテン本体の形状とほぼ同一形状で形成され、前記防火カーテン本体に重ねて畳まれる不燃性シートを設けたことを特徴とする。
【００１０】
請求項５の発明に係わる防火カーテン装置は、請求項３の発明において、前記防火カーテン本体の形状記憶材料である形状記憶ポリマーに不燃性材料を織り込みまたは含浸したことを特徴とする。
【発明の効果】
【００１１】
本発明によれば、形状記憶材料で形成された防火カーテン本体は、通常の温度では畳まれた形状で天井部に保持されており、火災が発生して所定温度以上となったときに、形状記憶材料で形成された防火カーテン本体が予め記憶している防火カーテン形状に戻るので、防火シャッターとしての機能を果たすことになる。従って、防火カーテン本体を開くための付帯設備の必要がなく、防火カーテン本体の取り付けも建築物の建設後においても容易に行える。
【発明を実施するための最良の形態】
【００１２】
防火カーテン本体を形状記憶材料で形成し、通常の温度では畳まれた形状を保持し、火災が発生したときに予め記憶している防火カーテン本体の形状に戻るように構成した。
【実施例１】
【００１３】
図１は本発明の実施例１に係わる防火カーテン装置の説明図であり、図１（ａ）は防火カーテン本体がジャバラ状に折り畳まれた状態で建築物の天井部に取り付けられた防火カーテン装置の正面図、図１（ｂ）は防火カーテン本体がジャバラ状に折り畳まれた状態での防火カーテン装置の側面図である。
【００１４】
防火カーテン装置１１は防火カーテン本体１２と取付具１３とから構成され、防火カーテン本体１２は通常の温度ではジャバラ状に折り畳まれた形状を保持しており、建築物の天井部１４に取付具１３により取り付けられている。図１（ａ）では、建築物の防火区域として柱１５の間に取り付けられた場合を示している。
【００１５】
防火カーテン本体１２は、図１（ｂ）に示すようにジャバラ状に折り畳まれており、形状記憶材料で形成されている。形状記憶材料としては、例えば形状記憶ポリマー（ポリウレタン）を使用する。形状記憶ポリマーは、変形を加えて冷却するとその変形した形状で固定されるが、変形前の形状を記憶しており所定温度以上となると変形前の形状に戻るような形状記憶材料であり、この特性を利用して防火カーテン本体１２を形成する。すなわち、形状記憶ポリマーをシート状に成型し、所定温度以上の状態でそのシート状の形状記憶ポリマーに変形を加えてジャバラ状に折り畳む。そして、ジャバラ状に折り畳んだ形状のまま冷却して防火カーテン本体１２を製作する。
【００１６】
図２は、形状記憶ポリマーの温度に対する弾性率の特性図である。形状記憶ポリマーは温度に応じて、ガラス領域Ａ、遷移領域Ｂ、ゴム領域Ｃ、溶融領域Ｄの４領域の特性を有する。ガラス領域Ａは分子のブラウン運動が凍結され形状が固定される領域、遷移領域Ｂはガラス領域Ａからゴム領域Ｃに遷移する領域、ゴム領域Ｃは分子のブランウン運動が大きくなり形状の変形が容易となる領域、溶融領域Ｄは形状を保つことできない液相状態になる領域である。遷移領域Ｂにおける遷移温度Ｔｇは３０℃〜４０℃であり、この遷移温度Ｔｇを越えると変形の容易なゴム領域Ｃとなり、遷移温度Ｔｇ未満で変形が固定されるガラス領域Ａとなる。なお、遷移温度Ｔｇを挟んで弾性率が変化し定常値になるまでの温度幅ΔＴがある。
【００１７】
防火カーテン本体１２の製作にあたっては、まず、遷移温度Ｔｇを越えた温度、例えば１００℃前後の温度でシート状の形状記憶ポリマーを製作する。この場合のシートの全長は、取り付けられる建築物の天井部１４から床面までの空間の高さに設定される。形状記憶ポリマーはこのシート状の形状を記憶することになり、このシート状の形状は防火カーテン本体１２が開いた状態での形状となる。
【００１８】
次に、その温度を保った状態でシート状の形状記憶ポリマーに変形を加え、ジャバラ状に折り畳んだ形状とする。そして、そのジャバラ状に折り畳んだ形状のまま遷移温度Ｔｇ未満の温度、例えば２５℃まで冷却する。これにより、ガラス領域Ａとなり、形状記憶ポリマーはそのジャバラ状に折り畳まれた形状を保持することになる。このようにして製作された防火カーテン本体１２に取付具１３を取り付け、さらに、図１（ａ）に示すように建築物の防火区域の天井部１４に装着する。
【００１９】
従って、防火カーテン本体１２の温度が遷移温度Ｔｇを越えると、防火カーテン本体１２の形状記憶ポリマーが記憶しているシート状の形状に戻ることになり、防火カーテン本体１２が開いた状態となる。なお、遷移温度Ｔｇが予め定められた形状回復温度の下限に相当することになる。
【００２０】
図３は、防火カーテン本体１２の温度が遷移温度Ｔｇを越え防火カーテン本体１２が開いた状態の説明図であり、図３（ａ）は防火カーテン本体１２が開いた状態での防火カーテン装置の正面図、図３（ｂ）は防火カーテン本体１２が開いた状態での防火カーテン装置の側面図である。
【００２１】
火災発生時には、高温の煙が建築物の上部にある防火カーテン本体１２を加熱する。防火カーテン本体１２の温度が形状記憶ポリマーの遷移温度Ｔｇを越えると、予め記憶していた平面上のシート状の形状に戻ろうとし、さらに、自重により防火カーテン本体１２は下方に開くことになる。シートの全長は、建築物の天井部１４から床面までの空間の高さに設定されているので、防火カーテン本体１２が開くことにより火災発生位置が自動的に遮断され、延焼を防ぐことができる。
【００２２】
本発明の実施例１によれば、形状記憶ポリマーで形成された防火カーテン本体１２は、通常の温度ではジャバラ状に畳まれた形状で天井部１４に保持されており、火災が発生して所定温度以上となったときに、形状記憶ポリマーが予め記憶しているシート状の形状に戻るので、防火カーテン本体１２を開くための特別の付帯設備を設けることなく防火シャッターとしての機能を果たす。
【実施例２】
【００２３】
図４は本発明の実施例２に係わる防火カーテン装置の説明図であり、図４（ａ）は防火カーテン本体をジャバラ状に折り畳んだ通常状態での防火カーテン装置の側面図、図４（ｂ）は防火カーテン本体が開いた状態での防火カーテン装置の側面図である。この実施例２に係わる防火カーテン装置は、実施例１に係わる防火カーテン装置に対し、防火カーテン本体１２に不燃性シート１６を重ねてジャバラ状に折り畳んだものである。
【００２４】
図２に示すように、形状記憶ポリマーは溶融領域Ｄを有することから、温度が１５０℃を越えると形状記憶ポリマーは固相から液相に変化することになる。その場合、防火カーテン本体１２が防火シャッターとしての役目を果たさなくなるおそれがあるので、防火カーテン本体１２に重ねて不燃性シート１６をジャバラ状に折り畳み、防火カーテン本体１２が溶融したとしても不燃性シート１６が防火シャッターの役目を果たすようにしている。
【００２５】
不燃性シート１６は、例えば不燃性繊維（細かい金属線材）を編んで防火カーテン本体１２の形状とほぼ同一形状に形成され、防火カーテン本体１２の背面に重ねて配置される。通常状態（常温）では、不燃性シート１６は形状記憶ポリマーのジャバラ状に折り畳まれた形状に拘束され、火災の発生で形状記憶ポリマーが記憶されたシート状の形状となったときは、形状記憶ポリマーの形状変化に従って拘束が解かれ本来のシート状となり、防火カーテン本体１２と共に開いた状態となる。不燃性シート１６は防火カーテン本体１２の形状とほぼ同一形状に形成されているので、防火カーテン本体１２が溶融しても防火シャッターとしての役目を果たす。
【００２６】
以上の説明では、不燃性シート１６は不燃性繊維（細かい金属線材）を編んでシート状に形成するようにしたが、金属板をキャタピラ状に形成してシート状に形成しても良い。また、不燃性シート１６に代えて、防火カーテン本体１２の形状記憶ポリマー自体に不燃性材料を織り込むようにしても良い。例えば、不燃性繊維（細かい金属線材）を補強材として織り込む。また、防火カーテン本体１２の形状記憶ポリマー自体に不燃性材料を含浸するようにしても良い。
【００２７】
本発明の実施例２によれば、形状記憶材料として形状記憶ポリマーを使用した場合であっても、火災の燃焼温度に関係なく防火シャッターとしての役目を果たすことができる。
【００２８】
以上述べた実施例１及び実施例２では、防火カーテン本体１２の畳まれた形状としてジャバラ状に折り畳む形状としたが、巻き取り状に形成しても良い。この場合、実施例２のように、防火カーテン本体１２に不燃性シート１６を重ねて畳む場合には、不燃性シート１６も防火カーテン本体１２と同様に巻き取り状に畳まれることになる。
【００２９】
また、形状記憶材料として形状記憶ポリマーを用いた場合について説明したが、形状記憶合金を用いることも可能である。例えば、Ｎｉ−Ｔｉ合金の形状記憶合金は、通常、線状材料として提供されているので、線状材料を編んでシート状に形成して、そのシート状の形状記憶合金を使用する。また、板状材料として提供されている形状記憶合金は大きさを調整してそのまま使用することも可能である。火災が発生したと判断できる温度は、形状回復温度で調整することになる。Ｎｉ−Ｔｉ合金の形状記憶合金ではＮｉ量を微調整することで形状回復温度を調整する。
【図面の簡単な説明】
【００３０】
【図１】本発明の実施例１に係わる防火カーテン装置の説明図。
【図２】本発明の実施例１で使用する形状記憶ポリマーの温度に対する弾性率の特性図。
【図３】本発明の実施例１における防火カーテン本体の温度が遷移温度Ｔｇを越え防火カーテン本体が開いた状態の説明図。
【図４】本発明の実施例２に係わる防火カーテン装置の説明図。
【符号の説明】
【００３１】
１１…防火カーテン装置、１２…防火カーテン本体、１３…取付具、１４…天井部、１５…柱、１６…不燃性シート
【図１】
2005095198.tif 000003
【図２】
2005095198.tif 000004
【図３】
2005095198.tif 000005
【図４】
2005095198.tif 000006